(57)【要約】【課題】  各機構が汚れることを回避し、かつ汚れたフィルタをスムーズに取り出すことができるロールフィルタを備えたレンジフードを提供する。【解決手段】  ロール状に巻かれたフィルタを収納する収納部１１と、収納部からロール状に巻かれたフィルタを空気の流れが通過する領域ＡＲへ引き出す引出部１２と、引出部から引き出されたシート状のフィルタ２２を領域ＡＲから引き込む引込部１３と、引込部に引き込んだフィルタを保持する保持部１４とを有するロールフィルタユニット１０を備え、引出部１２は引込部１３より低い位置に設けられると共に、シート状のフィルタ２２は、領域ＡＲでは水平面に対して傾斜して設けられ、引出部１２の下端から収納部１１へ向けて、フィルタが上方に設けられるレンジフード。【選択図】  図５
2014206296.tif 000002
【特許請求の範囲】
【請求項１】
空気の流れを発生させるファンと、
フード内面の内面パネルの空気の吸込口にロールフィルタユニットを備えるレンジフードであって、
前記ロールフィルタユニットは、
ロール状に巻かれたフィルタを収納する収納部と、
前記収納部からロール状に巻かれたフィルタを前記吸込口の空気の流れが通過する領域へ引き出す引出部と、
前記引出部から引き出されたシート状のフィルタを前記領域から引き込む引込部と、
前記引込部に引き込んだフィルタを保持する保持部と、
を備え、
前記引出部および前記引込部の内一方は他方より低い位置に設けられると共に、前記シート状のフィルタは、前記空気の流れが通過する領域では水平面に対して傾斜して設けられ、
低い方に位置する前記一方の前記引出部の下端から前記収納部へ向けて、前記フィルタが上方に設けられる、または、
低い方に位置する前記一方の前記引込部の下端から前記保持部へ向けて、前記フィルタが上方に設けられる、
レンジフード。
【請求項２】
前記ロールフィルタユニットは、前記一方の前記引出部または前記引込部の下端より高い位置に、フィルタを引き上げる引上部をさらに備えることを特徴とする請求項１に記載のレンジフード。
【請求項３】
前記引込部は、回転可能に軸支された第一ローラを備え、
前記保持部は、回転可能に軸支された第二ローラを備え、
前記第一ローラと前記第二ローラは、引き込んだフィルタを挟持することでフィルタを保持し、いずれか一方または両方が一方向のみに回ることを特徴とする請求項１または２に記載のレンジフード。
【請求項４】
前記引込部は、回転可能に軸支された第一ローラを備え、
前記保持部は、回転可能に軸支された第二ローラを備え、
前記第二ローラは、前記第一ローラがフィルタを移動させる方向における前記第一ローラの下流側に一対のローラを備え、該一対のローラは、引き込んだフィルタを挟持し、少なくても一方が一方向のみに回ることを特徴とする請求項１または２に記載のレンジフード。
【請求項５】
前記保持部は、前記第一ローラまたは前記第二ローラがフィルタを移動させる方向における前記第一ローラ及び前記第二ローラの下流側に、引き込んだフィルタを切断する切断部を備えることを特徴とする請求項３または請求項４に記載のレンジフード。
【請求項６】
前記保持部は、前記第二ローラと前記切断部の間に巻き込み回避機構をさらに備えることを特徴とする請求項５に記載のレンジフード。
【請求項７】
前記巻き込み回避機構のフィルタと対向する面の少なくとも一部に、凹凸を有することを特徴とする請求項６に記載のレンジフード。
【請求項８】
前記ロールフィルタユニットは、前記引出部と前記引込部との間にフィルタの下流側に位置して、前記シート状のフィルタが空気の流れの下流方向に動かないように規制する規制枠を備え、
前記規制枠の桟は、前記第一ローラおよび前記第二ローラのいずれか一方または両方の位置に対応して備えられることを特徴とする請求項３乃至７のいずれかに記載のレンジフード。
【発明の詳細な説明】
【技術分野】
【０００１】
本発明は、レンジフードに関し、特に、ロールフィルタを備えたレンジフードに関する。
【背景技術】
【０００２】
レンジフードでは、フィルタにより油煙等を捕集するため、フィルタに油分が付着する。そのため、定期的にフィルタを取り外して清掃するという手間が発生する。かかる問題を解決するために、ロール状に巻かれたフィルタを引き出して使用し、フィルタが使用過程において汚れてきた際新しい面を引き出し、汚れた面は切断して廃棄する機構を有するロールフィルタを備えたレンジフードが提案されている。
【０００３】
例えば、特許文献１においては、フィルタホルダに収納されたフィルタシートを備え、本装置の本体基盤に、通風口の穴を開け、その本体基盤に、フィルタホルダとフィルタ巻取り部を取り付け、フィルタ巻取り部には、電動モータと手動フィルタ巻取り部を取り付けられたレンジフードが開示されている。
【０００４】
また、特許文献２においては、吸込み口部の下面を覆う上下フィルタを外壁下方に設け、上下フィルタと接してこれらに付着した油分、水分を吸い取りかつ自身でもろ過作用を行う不燃、吸油、吸水性のフィルタシートを、取り出して使い捨て可能に上下フィルタ間に介在させたレンジフードが開示されている。
【先行技術文献】
【特許文献】
【０００５】
【特許文献１】実用新案登録第３１４６３４６号公報
【特許文献２】実用新案出願公告昭５０−７７１３号公報
【発明の概要】
【発明が解決しようとする課題】
【０００６】
しかし、これらのロールフィルタは、フィルタに付着した油脂等がフィルタから各機構や未使用のフィルタ等に流れて付着してしまったり、レンジフードの下方に備えられた調理機器に滴下してしまうという問題があった。また、付着した油脂が、そのまま各機構に固着することによって抵抗が生じ、汚れたフィルタをスムーズに引き出すことが困難となっていた。
【０００７】
そこで、本発明は、各機構が汚れることを回避し、かつ汚れたフィルタをスムーズに取り出すことができるロールフィルタを備えたレンジフードを提供することを目的とする。
【課題を解決するための手段】
【０００８】
上記課題を解決するために、空気の流れを発生させるファンと、フード内面の内面パネルの空気の吸込口にロールフィルタユニットを備えるレンジフードであって、ロールフィルタユニットは、ロール状に巻かれたフィルタを収納する収納部と、収納部からロール状に巻かれたフィルタを吸込口の空気の流れが通過する領域へ引き出す引出部と、引出部から引き出されたシート状のフィルタを領域から引き込む引込部と、引込部に引き込んだフィルタを保持する保持部と、を備え、引出部および引込部の内一方は他方より低い位置に設けられると共に、シート状のフィルタは、空気の流れが通過する領域では水平面に対して傾斜して設けられ、低い方に位置する一方の引出部の下端から収納部へ向けて、フィルタが上方に設けられる、または、低い方に位置する一方の引込部の下端から保持部へ向けて、フィルタが上方に設けられる、レンジフードが提供される。
これによれば、フィルタを傾斜させることで上側の各機構には油脂等が流れることがなく、また、下側ではフィルタが上方に向けられて設けられることで油脂等が下側に流れても引出部または引込部の下端より先には油脂等が流れることがないので、収納部や保持部の各機構内や未使用のフィルタ等に油脂等が流れて汚すことが無く、さらにそれらの機構等に油脂等が固着することがない。従って、各機構が汚れることを回避し、かつ汚れたフィルタをスムーズに取り出すことができるロールフィルタを備えたレンジフードを提供することができる。
【０００９】
さらに、ロールフィルタユニットは、一方の前記引出部または引込部の下端より高い位置に、フィルタを引き上げる引上部をさらに備えることを特徴としてもよい。
これによれば、下側の機構内でフィルタを引き上げることで、確実に各機構が汚れることを回避することができる。
【００１０】
さらに、引込部は、回転可能に軸支された第一ローラを備え、保持部は、回転可能に軸支された第二ローラを備え、第一ローラと第二ローラは、引き込んだフィルタを挟持することでフィルタを保持し、いずれか一方または両方が一方向のみに回ることを特徴としてもよい。
これによれば、ローラは一方向のみに回るため、ロールが逆転してフィルタが緩むことがない。
【００１１】
さらに、引込部は、回転可能に軸支された第一ローラを備え、保持部は、回転可能に軸支された第二ローラを備え、第二ローラは、第一ローラがフィルタを移動させる方向における第一ローラの下流側に一対のローラを備え、その一対のローラは、引き込んだフィルタを挟持し、少なくても一方が一方向のみに回ることを特徴としてもよい。
これによれば、ローラは一方向のみに回るため、ロールが逆転してフィルタが緩むことがない。また、保持部が内向きまたは外向きの癖がある引き込んだフィルタを矯正することで、フィルタの交換時にスムーズに取り出すことができる。
【００１２】
さらに、保持部は、第一ローラまたは第二ローラがフィルタを移動させる方向における第一ローラ及び第二ローラの下流側に、引き込んだフィルタを切断する切断部を備えることを特徴としてもよい。
これによれば、使用済みのフィルタを手を汚すことなく容易に引き込み切断することで、処理することが可能となる。
【００１３】
さらに、保持部は、第二ローラと切断部の間に巻き込み回避機構をさらに備えることを特徴としてもよい。
これによれば、内向きまたは外向きに癖づいたフィルタであっても、切断部まで確実かつスムーズに案内することができる。
【００１４】
さらに、巻き込み回避機構のフィルタと対向する面の少なくとも一部に、凹凸を有することを特徴としてもよい。
これによれば、巻き込み回避機構に油脂等が付着したフィルタが接触する面積を最小限に留めることができるため、巻き込み回避機構に油脂等が固着してフィルタが引き出しにくくなることを回避することができる。
【００１５】
さらに、ロールフィルタユニットは、引出部と引込部との間にフィルタの下流側に位置して、シート状のフィルタが空気の流れの下流方向に動かないように規制する規制枠を備え、規制枠の桟は、第一ローラおよび第二ローラのいずれか一方または両方の位置に対応して備えられることを特徴としてもよい。
これによれば、桟に対応する位置にあるフィルタ部分には油脂等が付着し難いので、ローラに油脂等が付着することを最小限に留めることができるため、ローラに油脂等が固着して回転が鈍くなったりフィルタが引き出しにくくなることを回避することができる。また、規制枠を備えることで吸込み時にフィルタが撓むことがない。
【発明の効果】
【００１６】
以上説明したように、本発明によれば、レンジフードのロールフィルタユニットの各機構が汚れることを回避し、かつ汚れたフィルタをスムーズに取り出すことができるロールフィルタを備えたレンジフードを提供することができる。
【図面の簡単な説明】
【００１７】
【図１】本発明に係る第一実施例のレンジフードの、（Ａ）正面図、（Ｂ）平面図、（Ｃ）底面図、（Ｄ）右側面図、（Ｅ）整流板を取り外した場合の底面図。
【図２】本発明に係る第一実施例のレンジフードの、（Ａ）右下からの斜視図、（Ｂ）整流板を取り外した場合の斜視図。
【図３】本発明に係る第一実施例のレンジフードの断面図（図１（Ａ）におけるＩ−Ｉ断面）
【図４】本発明に係る第一実施例のロールフィルタユニットの、（Ａ）正面図、（Ｂ）底面図、（Ｃ）断面図（（Ｂ）におけるＶ−Ｖ断面）。
【図５】本発明に係る第一実施例のロールフィルタユニットの、（Ａ）断面図（図４（Ａ）におけるＩＩ−ＩＩ断面）、（Ｂ）断面図（図４（Ａ）におけるＩＩＩ−ＩＩＩ断面）、（Ｃ）断面図（図４（Ａ）におけるＩＶ−ＩＶ断面）。
【図６】本発明に係る第一実施例のロールフィルタユニットの、（Ａ）右上からの斜視図、（Ｂ）右下からの斜視図、（Ｃ）右下からの斜視図（ユニットカバーを取り外した場合）。
【図７】本発明に係る第一実施例のロールフィルタユニットの、（Ａ）保持部等拡大断面図（図４（Ａ）におけるＩＩＩ−ＩＩＩ断面）、（Ｂ）保持部等拡大断面図（図４（Ａ）におけるＩＶ−ＩＶ断面）。
【図８】本発明に係る第一実施例のロールフィルタユニットの、（Ａ）保持部等拡大斜視図、（Ｂ）保持部等拡大断面斜視図（図４（Ａ）におけるＶＩ−ＶＩ断面）。
【図９】本発明に係る第一実施例のロールフィルタユニットの、（Ａ）収納部拡大断面図（図４（Ａ）におけるＩＩ−ＩＩ断面）、本発明に係る第二実施例のロールフィルタユニットの、（Ｂ）収納部拡大断面図（同断面と相当の断面）。
【発明を実施するための形態】
【００１８】
以下では、図面を参照しながら、本発明に係る各実施例について説明する。
＜第一実施例＞
図１乃至３を参照し、本発明にかかるレンジフード１について説明する。図１は、本実施例におけるレンジフード１の正六面図（一部）、図２は、本実施例におけるレンジフード１の斜視図、図３は、本実施例におけるレンジフード１の断面図である。なお、図１（Ｅ）と図２（Ｂ）においては、整流板を取り外した場合を示す。
【００１９】
レンジフード１は、下方または周囲で行われる調理によって発生する湯気や油煙等を捕集するための、上方に凹状の内面パネル５を内面に有する薄型のフード２を有する。フード２は、そのほぼ中央に位置する吸込口６付近で、排気ダクト４に接続された送風機ボックス３と連結される。送風機ボックス３は、内部に空気の流れを発生させるファン８（シロッコファン）を有する。従って、ファン８が稼働すると吸込口６は負圧となり、内面パネル５の下方の空気は吸込口６を通して吸入され、排気ダクト４を通して外部に排出される。即ち、吸込口６は、ファン８と連通し、ファン８が発生させた空気の流れ（Ｄ２）の流路上に位置する。そして、吸込口６には、空気の流れを通過させるフィルタユニット１０が設けられる。従って、レンジフード１は、空気の流れを発生させるファン８と、フード２の内面の内面パネル５の空気の吸込口６にロールフィルタユニット１０を備える。
【００２０】
フィルタユニット１０は、空気を通すフィルタ２０と、その周りに空気を通さない材質の、吸込口６に嵌り取りけられるユニットフレーム１８を有する。内面パネル５の下方の空気は、調理によって発生する湯気や油煙等を含んでおり、ファン８が稼働すると、吸込口６下方に存在する、即ちファン８が発生させた空気の流れの流路上に位置するフィルタ２０を通過することになる。その結果、フィルタ２０は、空気に含まれる油分を捕獲する。なお、本実施例では、整流板７がフィルタユニット１０の下に設けられているが、無くてもよい。
【００２１】
ロールフィルタユニット１０のフィルタ２０は、ロールフィルタユニット１０がレンジフード１に取り付けられた場合、レンジフード１の手前側から奥側に向けて下方に傾斜するように備えられる。そうすると、フィルタ２０が空気の流れＤ２から捕獲した油分は、フィルタ２０の同じ面を長期に使用すると奥側の下方に向けて流れ、移動する。そしてそのフィルタ面から油分が垂れる場合は、その油分は、ロールフィルタユニット１０において最も奥側で下方に位置する油溜まり１７に回収される。
【００２２】
図４乃至６を参照し、本発明にかかるロールフィルタユニット１０について説明する。図４は本実施例におけるロールフィルタユニット１０の正面図等、図５は本実施例におけるロールフィルタユニット１０の断面図、図６は本実施例におけるロールフィルタユニット１０の斜視図である。
【００２３】
ロールフィルタユニット１０は、上述したように、ユニットフレーム１８の部分で内面パネル５に取り付けられる。ユニットフレーム１８の部分の中央部は、ほぼ矩形の孔が空いている。ロールフィルタユニット１０は、ユニットフレーム１８が内面パネル５に取り付けられた場合の奥側（例えば、図５（Ａ）、図６（Ａ）で図視右側）にロール状に巻かれたフィルタ２１を収納する収納部１１が、その矩形の孔を挟んで手前側（例えば、図５（Ａ）、図６（Ａ）で図視左側）にシート状のフィルタ２２を引き込む引込部１３やフィルタを保持する保持部１４を備える。
【００２４】
ロールフィルタユニット１０は、ユニットフレーム１８の近傍にある収納部１１の下部に位置する引出部１２の近傍から引込部１３側の上部にかけ、フィルタの下流側に位置してシート状のフィルタ２２が空気の流れの下流方向に動かないように規制する規制枠１６を有する。ロールフィルタユニット１０がレンジフード１に取り付けられた場合、規制枠１６は、水平面に対して傾斜して設けられている。本実施例では、収納部１１側が低く、引込部１３側が高くなっているが、特にこれに限定されることはなく、逆であってもよい。規制枠１６は、上記矩形の孔に手前側―奥側方向にかけて中央と両側の合計３本の桟を有し、これによりシート状のフィルタ２２がファン８が発生させる空気の流れに負けて撓むことがないように規制し、フィルタ２２が空気中に含まれる油分を確実に捕集することができる。上記矩形の孔の、規制枠１６以外の部分が、吸込口６の空気の流れが通過する領域ＡＲである。
【００２５】
ロールフィルタユニット１０は、傾斜の下側に位置する収納部１１と規制枠１６の接合部付近に引出部１２を有し、また、引出部１２の下端より高い位置であって引出部１２とロール状フィルタ２１の間に、フィルタを上方に引き上げる引上部１５を有する。引出部１２は、収納部１１内にあるロール状に巻かれたフィルタ２１を吸込口６の空気の流れが通過する領域ＡＲへ引き出すものである。引出部１２は、より具体的には、ロール状のフィルタ２１を引込部１３側から引っ張られＤ１’方向に動かし易くするためのローラである。また、引上部１５は、同様に、ロール状のフィルタ２１をＤ１方向に動かし易くするためのローラである。傾斜の下側にあるこの引上部１５がフィルタを上方へ引き上げることにより、油分は、ロール状のフィルタ２１の方へ流れてくることがなくなり、ロール状フィルタ２１や収納部１１が汚れることを確実に回避することができる。
【００２６】
ロールフィルタユニット１０は、傾斜の上側に、引出部１２から引き出されたシート状のフィルタ２２を領域ＡＲから引き込む引込部１３と、その引込部１３に引き込んだフィルタを保持する保持部１４を備える。引込部１３は、より具体的には、空気の流れが通過する領域ＡＲにあり油分を捕獲したシート状のフィルタ２２をＤ１’方向に動かしやすくするためのローラであって、本実施例ではＤ１’からＤ１’’方向に方向転換するように備えられている。また、保持部１４は、引き込んだフィルタを引込部１３のローラと共に付勢力を以って挟持することで保持するローラを含む。
【００２７】
図７乃至８を参照し、本発明にかかる引込部１３と保持部１４について説明する。引込部１３のローラは、回転可能に軸支され、規制枠１６の３本の桟の位置に対応して３つ備えられている。これによれば、桟に対応する位置にあるフィルタ部分には油脂等が付着し難いので、ローラに油脂等が付着することを最小限に留めることができるため、ローラに油脂等が固着して回転が鈍くなったりフィルタが引き出しにくくなることを回避することができる。
【００２８】
引込部１３のローラの回転軸と同軸で歯車を備え、その歯車が一方向のみに回るワンウェイクラッチ１４２と係合することで、引込部１３のローラは一方向のみに回転する。保持部１４は、ローラ１４１を備え、そのローラ１４１が引き込んだフィルタを引込部１３のローラと共に付勢力を以って挟持することでフィルタを保持する。これによれば、ローラは一方向のみに回るため、ロールが逆転してフィルタが緩むことがない。なお、ワンウェイクラッチ１４２の一部はユニットフレーム１８の下部から表出しており、ユーザがワンウェイクラッチ１４２を操作することにより、フィルタをＤ１’’方向へ移動させる。なお、一方向のみに回転するローラは保持部または保持部と引込部であってもよい。また、保持部１４は、引込部１３よりＤ１’’方向下流側に２つのローラを備えて、その２つのローラがフィルタを引き込み、挟持することによりフィルタを保持してもよい。これによれば、ローラは一方向のみに回るため、ロールが逆転してフィルタが緩むことがない。また、保持部が内向きまたは外向きの癖がある引き込んだフィルタを矯正することで、フィルタの交換時にスムーズに取り出すことができる。
【００２９】
また、保持部１４は、ローラ１４１がフィルタを移動させる方向Ｄ１’’におけるローラ１４１の下流側に、引き込んだフィルタを切断する切断部１４３を備える。これによれば、使用済みのフィルタを手を汚すことなく容易に引き込み切断することで、処理することが可能となる。切断部１４３は、固定刃と、切断部操作レバー１４５により動く可動刃とからなる。可動刃は、固定刃に対して一方から他方にかけて傾斜して設けられ、切断部操作レバー１４５をユーザが操作すると、二枚の刃の接触点が一方から他方に移動することでフィルタを切断することができる。切断部１４３は、可動範囲が小さくかつ長い距離を切ることができ、また、鋭利なエッジでなくても切ることができる。
【００３０】
また、保持部１４は、上下方向におけるローラ１４１と切断部１４３の間に巻き込み回避機構１４４を備える。これによれば、内向きまたは外向きに癖づいたフィルタであっても、切断部１４３まで確実かつスムーズに案内することができる。また、巻き込み回避機構１４４は、引込部１３の両側のローラの幅全体に設けられているが、フィルタと対向する面の少なくとも一部に、Ｄ１’’方向に沿って凹凸を有する。これによれば、巻き込み回避機構に油脂等が付着したフィルタが接触する面積を最小限に留めることができるため、巻き込み回避機構に油脂等が固着してフィルタが引き出しにくくなることを回避することができる。
【００３１】
ロールフィルタユニット１０は、引出部１２と引込部１３との間に、空気の流れにおけるシート状のフィルタ２２の下流側に位置して、シート状のフィルタ２２が空気の流れの下流方向に動かないように規制する規制枠１６を備える。これによれば、規制枠１６を備えることで吸込み時にシート状のフィルタ２２が撓むことがない。また、規制枠１６の桟は、引込部１３のローラ（第一ローラ）および保持ローラ１４１（第二ローラ）のいずれか一方または両方の位置に対応して備える。本実施例においては、規制枠１６の桟はＤ１’方向に平行に延びており、規制枠の桟の幅がローラの幅に対応する。
【００３２】
これによれば、桟に対応する位置にあるフィルタ部分には油脂等が付着し難いので、ローラに油脂等が付着することを最小限に留めることができるため、ローラに油脂等が固着して回転が鈍くなったり、フィルタが引き出しにくくなることを回避することができる。特にシート状のフィルタ面は、吸込口の空気の流れが通過する方向の上流側の面に油脂等が多く付着するため、この面に接触するローラについてより効果的である。
【００３３】
なお、規制枠１６の桟の幅はローラの幅よりも小さくても良いが、ローラの幅よりも規制枠１６の桟の幅の方が大きい方が良い。
【００３４】
また、規制枠１６の桟の端面部には吸込口の空気の流れが通過する方向の下流側に向かう立上片１６１が設けられており、これによりフィルタに付着した油脂分が気流により規制枠の桟の裏側、すなわち吸込口の空気の流れが通過する方向の下流側に気流の影響で流れて汚れてしまうことを防止している。
【００３５】
ユーザは、シート状のフィルタ２２の同じ面をしばらく使用したとき、ユニットカバー１９をロールフィルタユニット１０から取り外し、ユニットフレーム１８の下部から表出しているワンウェイクラッチ１４２を操作し、使用済みのシート状フィルタ２２を空気の流れが通過する領域ＡＲから引き込む。そうすると、使用済みのシート状フィルタ２２が使用済みフィルタ取り出しスリット１４６から排出される。使用済みフィルタの全面が排出されたときに、ユーザは、切断部操作レバー１４５を操作し、使用済みフィルタを切断し、切り離す。この過程で、空気の流れが通過する領域ＡＲには、新しいシート状のフィルタ２２が、収納部１１にあるロール状フィルタ２１から充当される。
【００３６】
なお、ユニットフレーム１８の下部から表出しているワンウェイクラッチ１４２の一部、切断部操作レバー１４５や使用済みフィルタ取り出しスリット１４６は、レンジフード１を通常使用する場合には、ユニットカバー１９により覆われており、油分等が付着しにくくなっている。
【００３７】
上述したように、ロールフィルタユニット１０では、引出部１２は引込部１３より低い位置に設けられ、シート状のフィルタ２２は、空気の流れが通過する領域ＡＲでは水平面に対して傾斜して設けられる。そして、低い方に位置する引出部１２の下端から収納部１１へ向けて、フィルタが上方に設けられている。これによれば、フィルタを傾斜させることで上側に位置する引込部１３や保持部１４などの各機構には油脂等が流れることがなく、また、傾斜の下側ではフィルタが収納部１１の方へ上方に向けられて設けられることで、油脂等が傾斜の下側に流れても引出部１２の下端より収納部１１の方には油脂等が流れることがないので、収納部１１またはその周辺にある各機構内や未使用のフィルタ等に油脂等が流れて汚すことが無く、さらにそれらの機構等に油脂等が固着することがない。従って、各機構が汚れることを回避し、かつ汚れたフィルタをスムーズに取り出すことができるロールフィルタを備えたレンジフードを提供することができる。
【００３８】
本実施例では、引出部１２は引込部１３より低い位置に設けられたが、これに限定されず、逆に引込部が引出部より低い位置に設けられてもよい。その場合、ロールフィルタユニットでは、引込部は引出部より低い位置に設けられ、シート状のフィルタは、空気の流れが通過する領域では水平面に対して傾斜して設けられる。そして、低い方に位置する引込部の下端から保持部へ向けて、フィルタが上方に設けられる。かかる構成においても、フィルタを傾斜させることで上側に位置する引出部や収納部などの各機構には油脂等が流れることがなく、また、傾斜の下側ではフィルタが保持部の方へ上方に向けられて設けられることで、油脂等が傾斜の下側に流れても引込部の下端より保持部の方には油脂等が流れることがないので、保持部やその周辺にある各機構に油脂等が流れて汚すことが無く、さらにそれらの機構等に油脂等が固着することがない。従って、各機構が汚れることを回避し、かつ汚れたフィルタをスムーズに取り出すことができるロールフィルタを備えたレンジフードを提供することができる。この場合、引上部は、引込部の下端より高い位置に、フィルタを引き上げるように備えられる。これによれば、確実に各機構が汚れることを回避することができる。
【００３９】
＜第二実施例＞
図９を参照し、本実施例におけるロールフィルタユニット１０Ａを説明する。図９（Ａ）は、第一実施例におけるロールフィルタユニット１０の引出部１２や収納部１１付近の拡大断面図であり、図９（Ｂ）は、本実施例におけるロールフィルタユニット１０Ａの引出部１２Ａや収納部１１Ａ付近の拡大断面図である。
【００４０】
第一実施例においては、引上部１５が、引出部１２の下端より高い位置であって引出部１２とロール状フィルタ２１の間にあって、フィルタを上方に引き上げていた。これにより、シート状フィルタ２２を伝って流れてきた油分は、ロール状のフィルタ２１の方へ流れて移動することはなく、ロール状フィルタ２１や収納部１１が汚れることを確実に回避することができる。
【００４１】
一方、本実施例におけるロールフィルタユニット１０Ａは、引上部を備えない。しかし、ロール状のフィルタ２１Ａの上側からフィルタを引き出すことで、引出部１２Ａの下端から収納部１１Ａへ向けて、フィルタが上方に設けられている。これにより、引上部を備えなくても、第一実施例と同じ効果を得ることができる。即ち、フィルタを傾斜させることで傾斜の上側の各機構には油脂等が流れることがなく、また、傾斜の下側ではフィルタが上方に向けられて設けられることで油脂等が下側に流れても引出部の下端より先には油脂等が流れることがないので、収納部などの各機構内や未使用のフィルタ等に油脂等が流れて汚すことが無く、さらにそれらの機構等に油脂等が固着することがない。従って、各機構が汚れることを回避し、かつ汚れたフィルタをスムーズに取り出すことができるロールフィルタを備えたレンジフードを提供することができる。
【００４２】
なお、本発明は、例示した実施例に限定するものではなく、特許請求の範囲の各項に記載された内容から逸脱しない範囲の構成による実施が可能である。即ち、本発明は、主に特定の実施形態に関して特に図示され、かつ説明されているが、本発明の技術的思想および目的の範囲から逸脱することなく、以上述べた実施形態に関し、形状、材質、数量、その他の詳細な構成において、当業者が様々な変形を加えることができるものである。従って、上記に開示した形状などを限定した記載は、本発明の理解を容易にするために例示的に記載したものであり、本発明を限定するものではないから、それらの形状等の限定の一部もしくは全部の限定を外した部材の名称での記載は、本発明に含まれるものである。
【符号の説明】
【００４３】
１      レンジフード
２      フード
３      送風機ボックス
４      排気ダクト
５      内面パネル
６      吸込口
７      整流板
８      ファン
１０    ロールフィルタユニット
１１    収納部
１２    引出部
１３    引込部
１４    保持部
１４１  保持ローラ
１４２  ワンウェイクラッチ
１４３  切断部
１４４  巻き込み回避機構
１４５  切断部操作レバー
１４６  使用済みフィルタ取り出しスリット
１５    引上部
１６    規制枠
１６１  立上片
１７    油溜まり
１８    ユニットフレーム
１９    ユニットカバー
２０    フィルタ
２１    ロール状フィルタ
２２    シート状のフィルタ
Ｄ１    フィルタの移動方向
Ｄ２    空気の流れる方向
ＡＲ    空気の流れが通過する領域
【図１】
2014206296.tif 000003
【図２】
2014206296.tif 000004
【図３】
2014206296.tif 000005
【図４】
2014206296.tif 000006
【図５】
2014206296.tif 000007
【図６】
2014206296.tif 000008
【図７】
2014206296.tif 000009
【図８】
2014206296.tif 000010
【図９】
2014206296.tif 000011